(57)【要約】【課題】  再生中の画像データを取り込んで記憶し、記憶されている複数の画像データの中の所望の画像データを背景画に設定して、再生停止時に、背景画に設定されている画像データを表示することができるとともに、予め設定された日数が経過する毎に、予め設定された保存日数を越えた消去禁止に設定されていない画像データを消去することができるようにする。【解決手段】  光ディスクの再生中に、画面に表示された画像データの取り込んで、画面に表示された画像データに保存日を付加して記憶し、記憶されている複数の画像データの中の所望の画像データを背景画に設定して、再生停止時に、記憶されている複数の画像データの中の背景画に設定されている画像データを画面に表示するとともに、予め設定された日数が経過する毎に、記憶されている複数の画像データの中の予め設定された保存日数を越えた消去禁止に設定されていない画像データを消去するようにする。【選択図】        図１
2007157274.tif 000002
【特許請求の範囲】
【請求項１】
光ディスクに記録された映像音声データを再生するディスク再生装置であって、
光ディスクの再生中に、画面に表示された画像データの取り込みを指令する画像データ取込指令手段と、前記画像データ取込指令手段により画像データの取り込みが指令されたとき、光ディスクの再生を一時停止して、画面に表示された画像データの保存を確認する画像データ保存確認手段と、前記画像保存確認手段により画像データの保存が確認されたとき、画面に表示された画像データに保存日を付加して記憶する記憶手段と、光ディスクの再生を再開する再生再開手段と、光ディスクの再生停止時に、前記記憶手段に記憶されている複数の画像データの中の背景画に設定されている画像データを画面に表示する背景画表示手段と、画像データのサムネイルの表示を指令するサムネイル表示指令手段と、前記サムネイル表示指令手段により画像データのサムネイルの表示が指令されたとき、前記記憶手段に記憶されている全画像データのサムネイルを画面に表示するサムネイル表示手段と、画面に表示されたサムネイルを選択するサムネイル選択手段と、サムネイルの画像データの背景画設定を指令する背景画設定指令手段と、前記背景画設定指令手段によりサムネイルの画像データの背景画設定が指令されたとき、前記サムネイル選択手段により選択されたサムネイルの画像データの背景画設定を確認する背景画設定確認手段と、前記背景画設定確認手段によりサムネイルの画像データの背景画設定が確認されたとき、前記サムネイル選択手段により選択されたサムネイルの前記記憶手段に記憶されている画像データを背景画に設定して選択回数を更新する背景画設定手段と、サムネイルの画像データの消去を指令する画像データ消去指令手段と、前記画像データ消去指令手段によりサムネイルの画像データの消去が指令されたとき、前記サムネイル選択手段により選択されたサムネイルの画像データの消去を確認する画像データ消去確認手段と、前記画像データ消去確認手段によりサムネイルの画像データの消去が確認されたとき、前記サムネイル選択手段により選択されたサムネイルの画像データを前記記憶手段から消去する第１の画像データ消去手段と、サムネイルの画像データの全画面表示を指令する全画面表示指令手段と、前記全画面表示指令手段によりサムネイルの画像データの全画面表示が指令されたとき、前記サムネイル選択手段により選択されたサムネイルの画像データを全画面表示する全画面表示手段と、画像データの全画面表示の停止を指令する全画面表示停止指令手段と、前記全画面表示停止指令手段により画像データの全画面表示の停止が指令されたとき、前記記憶手段に記憶されている全画像データのサムネイルの表示に復帰させるサムネイル表示復帰手段と、予め設定された日数が経過する毎に、前記記憶手段に記憶されている全画像データ一覧を選択回数の少ない順、保存日の古い順に表示して画像データ編集画面を表示する画像データ編集画面表示手段と、前記画像データ編集画面表示手段により表示された画像データ編集画面の画像データを選択する画像データ選択手段と、前記画像データ選択手段により選択された画像データを消去禁止に設定する消去禁止設定手段と、前記画像データ選択手段により選択された画像データの消去禁止を解除する消去禁止解除手段と、前記画像データ選択手段により選択された画像データが消去禁止に設定されていない場合、前記画像データ選択手段により選択された画像データを前記記憶手段から消去する第２の画像データ消去手段と、予め設定された日数が経過する毎に、前記記憶手段に記憶されている複数の画像データの中の予め設定された保存日数を越えた消去禁止に設定されていない画像データを前記記憶手段から消去する第３の画像データ消去手段とを備えたことを特徴とするディスク再生装置。
【請求項２】
光ディスクに記録された映像音声データを再生するディスク再生装置であって、
光ディスクの再生中に、画面に表示された画像データの取り込みを指令する画像データ取込指令手段と、前記画像データ取込指令手段により画像データの取り込みが指令されたとき、光ディスクの再生を一時停止して、画面に表示された画像データの保存を確認する画像データ保存確認手段と、前記画像保存確認手段により画像データの保存が確認されたとき、画面に表示された画像データに保存日を付加して記憶する記憶手段と、光ディスクの再生を再開する再生再開手段と、光ディスクの再生停止時に、前記記憶手段に記憶されている複数の画像データの中の背景画に設定されている画像データを画面に表示する背景画表示手段とを備えたことを特徴とするディスク再生装置。
【請求項３】
画像データのサムネイルの表示を指令するサムネイル表示指令手段と、前記サムネイル表示指令手段により画像データのサムネイルの表示が指令されたとき、前記記憶手段に記憶されている全画像データのサムネイルを画面に表示するサムネイル表示手段と、画面に表示されたサムネイルを選択するサムネイル選択手段と、サムネイルの画像データの背景画設定を指令する背景画設定指令手段と、前記背景画設定指令手段によりサムネイルの画像データの背景画設定が指令されたとき、前記サムネイル選択手段により選択されたサムネイルの画像データの背景画設定を確認する背景画設定確認手段と、前記背景画設定確認手段によりサムネイルの画像データの背景画設定が確認されたとき、前記サムネイル選択手段により選択されたサムネイルの前記記憶手段に記憶されている画像データを背景画に設定して選択回数を更新する背景画設定手段とを更に備えたことを特徴とする請求項２記載のディスク再生装置。
【請求項４】
サムネイルの画像データの消去を指令する画像データ消去指令手段と、前記画像データ消去指令手段によりサムネイルの画像データの消去が指令されたとき、前記サムネイル選択手段により選択されたサムネイルの画像データの消去を確認する画像データ消去確認手段と、前記画像データ消去確認手段によりサムネイルの画像データの消去が確認されたとき、前記サムネイル選択手段により選択されたサムネイルの画像データを前記記憶手段から消去する第１の画像データ消去手段とを更に備えたことを特徴とする請求項３記載のディスク再生装置。
【請求項５】
サムネイルの画像データの全画面表示を指令する全画面表示指令手段と、前記全画面表示指令手段によりサムネイルの画像データの全画面表示が指令されたとき、前記サムネイル選択手段により選択されたサムネイルの画像データを全画面表示する全画面表示手段と、画像データの全画面表示の停止を指令する全画面表示停止指令手段と、前記全画面表示停止指令手段により画像データの全画面表示の停止が指令されたとき、前記記憶手段に記憶されている全画像データのサムネイルの表示に復帰させるサムネイル表示復帰手段とを更に備えたことを特徴とする請求項３記載のディスク再生装置。
【請求項６】
予め設定された日数が経過する毎に、前記記憶手段に記憶されている全画像データ一覧の画像データ編集画面を表示する画像データ編集画面表示手段と、前記画像データ編集画面表示手段により表示された画像データ編集画面の画像データを選択する画像データ選択手段と、前記画像データ選択手段により選択された画像データを消去禁止に設定する消去禁止設定手段と、前記画像データ選択手段により選択された画像データの消去禁止を解除する消去禁止解除手段と、前記画像データ選択手段により選択された画像データが消去禁止に設定されていない場合、前記画像データ選択手段により選択された画像データを前記記憶手段から消去する第２の画像データ消去手段とを更に備えたことを特徴とする請求項２記載のディスク再生装置。
【請求項７】
前記画像データ編集画面表示手段は、前記記憶手段に記憶されている全画像データ一覧を選択回数の少ない順、保存日の古い順に表示する表示手段であることを特徴とする請求項６記載のディスク再生装置。
【請求項８】
予め設定された日数が経過する毎に、前記記憶手段に記憶されている複数の画像データの中の予め設定された保存日数を越えた消去禁止に設定されていない画像データを前記記憶手段から消去する第３の画像データ消去手段を更に備えたことを特徴とする請求項２記載のディスク再生装置。
【発明の詳細な説明】
【技術分野】
【０００１】
本発明は、光ディスクに記録された映像音声データを再生するディスク再生装置に係り、特に再生中の映像の１シーンの画像データを保存して、再生停止時に、その画像データを背景画として表示することができるディスク再生装置に関する。
【背景技術】
【０００２】
従来、ディスク再生装置は、電源がＯＮになると、予め設定されている画像データがオープニング画面の画像として表示されるようになっている。また、静止画像が一定時間以上画面に表示されると、予め設定されている画像データがスクリーンセーバ画面の画像として一定時間以上静止しないように表示されるスクリーンセーバ機能を有するディスク再生装置がある。スクリーンセーバ機能は、ブラウン管を有する画像表示装置の画面に静止画像を表示し続けると、ブラウン管の蛍光体に焼き付きが生じるため、静止画が一定時間以上静止しないようにしてブラウン管の蛍光体の焼き付きを防止するようにしたものである。しかし、ディスク再生装置のオープニング画面の画像、或いは、スクリーンセーバ画面の画像は予め設定されていて変更することができないため、ユーザが所望する画像データをオープニング画面の画像、或いは、スクリーンセーバ画面の画像として表示することができないという問題点があった。
背景技術としては、光ディスクから再生された画像を静止画用の画像データとして記憶し、光ディスクの再生停止時に、記憶されている複数の画像データを所定時間経過する毎に変更して表示するようにしたものがあった（例えば、特許文献１参照）。
また、光ディスクの再生中の画像データが記録されている光ディスクのアドレスを取り込んで、光ディスクの再生後に、取り込まれたアドレスの画像データを再生して記憶し、記憶されている画像データをオープニング画面、或いは、スクリーンセーバ画面の画像として表示するようにしたものがあった（例えば、特許文献２参照）。
また、背景画とメニュ項目を表す任意の文字の画像とが含まれる画像データと任意の文字が含まれない固定のサブピクチャデータと任意のハイライト情報とからメニュ画面の表示データを生成して表示するようにしたものがあった（例えば、特許文献３参照）。
【特許文献１】実用新案登録第３０９６０８７号公報
【特許文献２】特開２００３−６９９５号公報
【特許文献３】特開２００３−９２７２０号公報
【発明の開示】
【発明が解決しようとする課題】
【０００３】
しかしながら、背景技術で述べたもののうち最初のものにおいては、光ディスクから再生された画像を静止画用の画像データとして記憶し、光ディスクの再生停止時に、記憶されている複数の画像データを所定時間経過する毎に変更して表示することができたが、新しい画像データを記憶する記憶容量がなくなったとき、最も古くなった画像データが削除されるようになっていたため、新しい画像データを記憶する際に、ユーザが所望する画像データが古くなると削除されるという問題点があった。
また、次のものにおいては、光ディスクの再生中の画像データが記録されている光ディスクのアドレスを取り込んで、光ディスクの再生後に、取り込まれたアドレスの画像データを再生して記憶し、記憶されている画像データをオープニング画面、或いは、スクリーンセーバ画面の画像として表示することができたが、保存日数が所定日数経過した消去禁止に設定されていない画像データを自動的に消去するようになっていなかったため、新しい画像データを記憶するときにメモリの記憶容量が不足した場合、ユーザがメモリに記憶されている不要な画像データを消去しなければならなかった。
また、更にその次のものにおいては、背景画とメニュ項目を表す任意の文字の画像とが含まれる画像データと任意の文字が含まれない固定のサブピクチャデータと任意のハイライト情報とからメニュ画面の表示データを生成して表示することができたが、サブピクチャ用のフォントデータやサブピクチャを生成するためのエンコーダを用いずに、メニュ画面の表示データを生成するようにしたものであって、光ディスクの再生中のユーザが所望する画像データを保存し、光ディスクの再生停止時に、保存されたユーザが所望する画像データを背景画として表示するようにしたものではなかった。
本発明は、背景技術の有するこのような問題点に鑑みてなされたものであり、その目的とするところは、再生中の画像データを取り込んで記憶し、記憶されている複数の画像データの中の所望の画像データを背景画に設定して、再生停止時に、背景画に設定されている画像データを表示することができるとともに、予め設定された日数が経過する毎に、予め設定された保存日数を越えた消去禁止に設定されていない画像データを消去することができるディスク再生装置を提供しようとするものである。
【課題を解決するための手段】
【０００４】
上記目的を達成するため本発明においては、光ディスクに記録された映像音声データを再生するディスク再生装置であって、光ディスクの再生中に、画面に表示された画像データの取り込みを指令する画像データ取込指令手段と、前記画像データ取込指令手段により画像データの取り込みが指令されたとき、光ディスクの再生を一時停止して、画面に表示された画像データの保存を確認する画像データ保存確認手段と、前記画像保存確認手段により画像データの保存が確認されたとき、画面に表示された画像データに保存日を付加して記憶する記憶手段と、光ディスクの再生を再開する再生再開手段と、光ディスクの再生停止時に、前記記憶手段に記憶されている複数の画像データの中の背景画に設定されている画像データを画面に表示する背景画表示手段とを備える。
更に、画像データのサムネイルの表示を指令するサムネイル表示指令手段と、前記サムネイル表示指令手段により画像データのサムネイルの表示が指令されたとき、前記記憶手段に記憶されている全画像データのサムネイルを画面に表示するサムネイル表示手段と、画面に表示されたサムネイルを選択するサムネイル選択手段と、サムネイルの画像データの背景画設定を指令する背景画設定指令手段と、前記背景画設定指令手段によりサムネイルの画像データの背景画設定が指令されたとき、前記サムネイル選択手段により選択されたサムネイルの画像データの背景画設定を確認する背景画設定確認手段と、前記背景画設定確認手段によりサムネイルの画像データの背景画設定が確認されたとき、前記サムネイル選択手段により選択された前記記憶手段に記憶されているサムネイルの画像データを背景画に設定して選択回数を更新する背景画設定手段とを備える。
更に、サムネイルの画像データの消去を指令する画像データ消去指令手段と、前記画像データ消去指令手段によりサムネイルの画像データの消去が指令されたとき、前記サムネイル選択手段により選択されたサムネイルの画像データの消去を確認する画像データ消去確認手段と、前記画像データ消去確認手段によりサムネイルの画像データの消去が確認されたとき、前記サムネイル選択手段により選択されたサムネイルの画像データを前記記憶手段から消去する第１の画像データ消去手段とを備える。
更に、サムネイルの画像データの全画面表示を指令する全画面表示指令手段と、前記全画面表示指令手段によりサムネイルの画像データの全画面表示が指令されたとき、前記サムネイル選択手段により選択されたサムネイルの画像データを全画面表示する全画面表示手段と、画像データの全画面表示の停止を指令する全画面表示停止指令手段と、前記全画面表示停止指令手段により画像データの全画面表示の停止が指令されたとき、前記記憶手段に記憶されている全画像データのサムネイルの表示に復帰させるサムネイル表示復帰手段とを備える。
更に、予め設定された日数が経過する毎に、前記記憶手段に記憶されている全画像データ一覧の画像データ編集画面を表示する画像データ編集画面表示手段と、前記画像データ編集画面表示手段により表示された画像データ編集画面の画像データを選択する画像データ選択手段と、前記画像データ選択手段により選択された画像データを消去禁止に設定する消去禁止設定手段と、前記画像データ選択手段により選択された画像データの消去禁止を解除する消去禁止解除手段と、前記画像データ選択手段により選択された画像データが消去禁止に設定されていない場合、前記画像データ選択手段により選択された画像データを前記記憶手段から消去する第２の画像データ消去手段とを備える。
前記画像データ編集画面表示手段は、前記記憶手段に記憶されている全画像データ一覧を選択回数の少ない順、保存日の古い順に表示するようにするとよい。
更に、予め設定された日数が経過する毎に、前記記憶手段に記憶されている複数の画像データの中の予め設定された保存日数を越えた消去禁止に設定されていない画像データを前記記憶手段から消去する第３の画像データ消去手段を備える。
これらの手段により、再生中の画像データを取り込んで記憶し、記憶されている複数の画像データの中の所望の画像データを背景画に設定して、再生停止時に、背景画に設定されている画像データを表示することができるとともに、予め設定された日数が経過する毎に、予め設定された保存日数を越えた消去禁止に設定されていない画像データを消去することができる。
【発明の効果】
【０００５】
請求項１記載の発明に係るディスク再生装置によれば、光ディスクの再生中に、画像データの取り込みが指令されたとき、光ディスクの再生を一時停止し、画面に表示された画像データの保存を確認して、画像データの保存が確認されたとき、画面に表示された画像データに保存日を付加して記憶し、光ディスクの再生を再開し、光ディスクの再生停止時に、記憶されている複数の画像データの中の背景画に設定されている画像データを画面に表示し、画像データのサムネイルの表示が指令されたとき、記憶されている全画像データのサムネイルを画面に表示して、画面に表示されたサムネイルを選択し、サムネイルの画像データの背景画設定が指令されたとき、選択されたサムネイルの画像データの背景画設定を確認して、サムネイルの画像データの背景画設定が確認されたとき、選択されたサムネイルの記憶されている画像データを背景画に設定して選択回数を更新し、サムネイルの画像データの消去が指令されたとき、選択されたサムネイルの画像データの消去を確認して、サムネイルの画像データの消去が確認されたとき、選択されたサムネイルの画像データを消去し、サムネイルの画像データの全画面表示が指令されたとき、選択されたサムネイルの画像データを全画面表示し、画像データの全画面表示の停止が指令されたとき、記憶されている全画像データのサムネイルの表示に復帰させ、予め設定された日数が経過する毎に、記憶されている全画像データ一覧を選択回数の少ない順、保存日の古い順に表示して画像データ編集画面を表示し、表示された画像データ編集画面の画像データを選択して、選択された画像データを消去禁止に設定し、選択された画像データの消去禁止を解除し、選択された画像データが消去禁止に設定されていない場合、選択された画像データを消去し、予め設定された日数が経過する毎に、記憶されている複数の画像データの中の予め設定された保存日数を越えた消去禁止に設定されていない画像データを消去するようにしているので、光ディスクの再生中の複数の画像データを保存して、光ディスクの再生停止時に、所望の画像データを背景画として表示することができ、記憶されている全画像データのサムネイルを表示し、サムネイルの画像データを全画面表示して画像データを確認して、所望のサムネイルの画像データを選択して背景画に設定することができ、また、画像データを消去禁止にして所望の画像データが不用意に消去されないようにすることができ、画像データの消去禁止を解除して、消去禁止に設定されていない画像データを消去することができるとともに、予め設定された日数が経過する毎に、予め設定された保存日数を越えた消去禁止に設定されていない画像データを自動的に消去することができる。
請求項２記載の発明に係るディスク再生装置によれば、光ディスクの再生中に、画像データの取り込みが指令されたとき、光ディスクの再生を一時停止し、画面に表示された画像データの保存を確認して、画像データの保存が確認されたとき、画面に表示された画像データに保存日を付加して記憶し、光ディスクの再生を再開し、光ディスクの再生停止時に、記憶されている複数の画像データの中の背景画に設定されている画像データを画面に表示するようにしているので、光ディスクの再生中の複数の画像データを保存して、再生停止時に、所望の画像データの背景画を表示することができる。
請求項３記載の発明に係るディスク再生装置によれば、画像データのサムネイルの表示が指令されたとき、記憶されている全画像データのサムネイルを画面に表示し、画面に表示されたサムネイルを選択して、サムネイルの画像データの背景画設定が指令されたとき、選択されたサムネイルの画像データの背景画設定を確認して、サムネイルの画像データの背景画設定が確認されたとき、選択されたサムネイルの記憶されている画像データを背景画に設定して選択回数を更新するようにしているので、記憶されている全画像データを知ることができ、所望のサムネイルの画像データを選択して背景画に設定することができる。
請求項４記載の発明に係るディスク再生装置によれば、サムネイルの画像データの消去が指令されたとき、選択されたサムネイルの画像データの消去を確認して、サムネイルの画像データの消去が確認されたとき、選択されたサムネイルの画像データを消去するようにしているので、記憶されている画像データが不用意に消去されないようにすることができる。
請求項５記載の発明に係るディスク再生装置によれば、サムネイルの画像データの全画面表示が指令されたとき、選択されたサムネイルの画像データを全画面表示し、画像データの全画面表示の停止が指令されたとき、記憶されている全画像データのサムネイルの表示に復帰させるようにしているので、サムネイルの画像データを全画面表示して確認することができる。
請求項６記載の発明に係るディスク再生装置によれば、予め設定された日数が経過する毎に、記憶されている全画像データ一覧の画像データ編集画面を表示し、画像データ編集画面の画像データを選択して、選択された画像データを消去禁止に設定し、選択された画像データの消去禁止を解除し、選択された画像データが消去禁止に設定されていない場合、選択された画像データを消去するようにしているので、画像データを消去禁止に設定して所望の画像データが不用意に消去されないようにすることができ、また、画像データの消去禁止を解除して、消去禁止に設定されていない画像データを消去することができる。
請求項７記載の発明に係るディスク再生装置によれば、記憶されている全画像データ一覧を選択回数の少ない順、保存日の古い順に表示するようにしているので、記憶されている複数の画像データの選択回数、保存日を容易に知ることができる。
請求項８記載の発明に係るディスク再生装置によれば、予め設定された日数が経過する毎に、記憶されている複数の画像データの中の予め設定された保存日数を越えた消去禁止に設定されていない画像データを消去するようにしているので、予め設定された日数が経過する毎に、予め設定された保存日数を越えた消去禁止に設定されていない画像データを自動的に消去することができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置のリモコン装置を示す説明図であり、図３は本発明の一実施例のディスク再生装置の画像データの編集画面の表示例を示す図であり、図４は本発明の一実施例のディスク再生装置の画像データの保存動作を示すフローチャートであり、図５は本発明の一実施例のディスク再生装置の画像データの表示動作を示すフローチャートであり、図６は本発明の一実施例のディスク再生装置の画像データの編集動作を示すフローチャートである。
まず、図１の本発明の一実施例のディスク再生装置の構成を示すブロック図を基に説明する。
ディスク再生装置１は、光ディスク２にレーザ光を照射してその反射光を検出し、光ディスク２に記録されている映像音声データを読み出す光ピックアップ３と、光ディスク２を回転させるスピンドルモータ４と、光ピックアップ３を光ディスク２の半径方向にスレッド移動させるスレッドモータ５と、スピンドルモータ４の回転速度とスレッドモータ５の回転方向、回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声データのＲＦ（Ｒａｄｉｏ  Ｆｒｅｑｕｅｎｃｙ）信号を増幅するＲＦ増幅回路７と、ＲＦ増幅回路７により増幅された映像音声データのＲＦ信号を基準クロックに基づいて同期検出して復調し、復調された映像音声データの誤りを訂正して、所定の圧縮方式に基づいて圧縮された映像音声データを伸張し、伸張された映像音声データを復号して映像音声信号を再生する信号処理回路８と、画像データを保存日、選択回数等の管理データとともに記憶する不揮発性メモリのフラッシュＲＯＭ９と、文字情報信号を映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路１０と、ディスク再生装置１のシステム全体を制御するマイコン１１と、日付と時刻とを管理する時計回路１２と、リモコン装置２０から送信された赤外線信号のリモコン信号を受信して、所定の電気信号に変換するリモコン受信部１３とで構成されている。
また、リモコン装置２０には、図２に示すように、ディスク再生装置１の各種設定値の設定画面のメニュ画面の表示を指令するメニュキー２０ａ、画面に表示された選択項目を選択するカーソルキー２０ｂ、カーソルキー２０ｂにより選択された選択項目の選択を決定する決定キー２０ｃ、光ディスク２の再生を指令する再生キー２０ｄ、光ディスク２の再生停止を指令する停止キー２０ｅ、画像データの取り込みを指令する画像メモリキー２０ｆ、画像データの消去を指令する画像クリアキー２０ｇ等の複数の操作キーが設けられていて、それらの操作キーを操作することによりディスク再生装置１を所望動作させることができるようになっている。
以上のように構成されたディスク再生装置について、以下その動作について説明する。
リモコン装置２０の再生キー２０ｄが操作されると、マイコン１１は、サーボ回路６に制御信号を送出して、スピンドルモータ４を駆動して光ディスク２を回転させ、スレッドモータ５を駆動して光ピックアップ３を光ディスク２の半径方向にスレッド移動させて、光ディスク２に記録された映像音声データを再生し、再生された映像音声データをモニタ装置３０の画面に表示する。
光ディスク２の再生中に、リモコン装置２０の画像メモリキー２０ｆが操作された場合、マイコン１１は、サーボ回路６に制御信号を送出して、光ディスク２の再生を一時停止し、文字情報信号と制御信号とをＯＳＤ回路１０に送出して、表示された画像データの保存確認画面をモニタ装置３０の画面に表示する（図示せず）。リモコン装置２０のカーソルキー２０ｂと決定キー２０ｃとの操作により、モニタ装置３０の画面に表示された画像データの保存が確認された場合、マイコン１１は、信号処理回路８に制御信号を送出して、モニタ装置３０の画面に表示された画像データに時計回路１２から送出された日付データの保存日を付加してフラッシュＲＯＭ９に記憶し、サーボ回路６に制御信号を送出して、光ディスク２の再生を再開する。そして、リモコン装置２０の画像メモリキー２０ｆが操作される毎に、マイコン１１は、上記同様にして、モニタ装置３０の画面に表示された画像データに保存日を付加してフラッシュＲＯＭ９に記憶する。光ディスク２の再生中に、リモコン装置２０の停止キー２０ｅが操作された場合、マイコン１１は、サーボ回路６に制御信号を送出して、光ディスク２の再生を停止する。
ディスク再生装置１の電源がＯＮになるか、或いは、光ディスク２の再生が停止すると、マイコン１１は、信号処理回路８に制御信号を送出して、フラッシュＲＯＭ９に記憶されている複数の画像データの中の背景画に設定されている画像データをモニタ装置３０の画面に表示する。リモコン装置２０の画像メモリキー２０ｆが操作された場合、マイコン１１は、フラッシュＲＯＭ９に記憶されている全画像データのサムネイルをモニタ装置３０の画面に表示し、選択されたサムネイルをハイライト表示する（いずれも図示せず）。リモコン装置２０のカーソルキー２０ｂが操作された場合、マイコン１１は、ＯＳＤ回路１０に制御信号を送出して、モニタ装置３０の画面に表示されたサムネイルの選択を変更して、そのサムネイルをハイライト表示する（図示せず）。リモコン装置２０の画像メモリキー２０ｆが操作された場合、マイコン１１は、選択されたサムネイルの画像データをモニタ装置３０の画面に全画面表示する（図示せず）。リモコン装置２０の停止キー２０ｅが操作されると、マイコン１１は、フラッシュＲＯＭ９に記憶されている全画像データのサムネイルの表示に復帰させる。
画像データのサムネイルがモニタ装置３０の画面に表示されているときに、リモコン装置２０の決定キー２０ｃが操作された場合、マイコン１１は、文字情報信号と制御信号とをＯＳＤ回路１０に送出して、選択されたサムネイルの画像データの背景画設定確認画面をモニタ装置３０の画面に表示する（図示せず）。そして、リモコン装置２０のカーソルキー２０ｂと決定キー２０ｃとの操作により、選択されたサムネイルの画像データの背景画設定が確認された場合、マイコン１１は、信号処理回路８に制御信号を送出して、選択されたサムネイルのフラッシュＲＯＭ９に記憶されている画像データを背景画に設定して選択回数を更新する。
また、画像データのサムネイルがモニタ装置３０の画面に表示されているときに、リモコン装置２０の画像クリアキー２０ｇが操作された場合、マイコン１１は、文字情報信号と制御信号とをＯＳＤ回路１０に送出して、選択されたサムネイルの画像データの消去確認画面を表示する（図示せず）。そして、リモコン装置２０のカーソルキー２０ｂと決定キー２０ｃとの操作により、選択されたサムネイルの画像データの消去が確認された場合、マイコン１１は、選択されたサムネイルの画像データをフラッシュＲＯＭ９から消去する。これにより、フラッシュＲＯＭ９に記憶されている全画像データのサムネイルを表示してフラッシュＲＯＭ９に記憶されている全画像データを知ることができ、サムネイルの画像データを全画面表示して画像データを確認して所望の画像データを背景画に設定することができるとともに、サムネイルの画像データを全画面表示して画像データを確認して不必要な画像データをフラッシュＲＯＭ９から消去し、フラッシュＲＯＭ９の空き容量を確保することができる。
時計回路１２から送出された日付データがメニュ画面（図示せず）でユーザが予め設定した日数、例えば、１ヶ月を経過する毎に、マイコン１１は、文字情報信号と制御信号とをＯＳＤ回路１０に送出して、画像データ編集画面をモニタ装置３０の画面３０ａに表示し、画像データ編集画面にフラッシュＲＯＭ９に記憶されている全画像データ一覧を選択回数の少ない順、保存日の古い順に表示して、選択された画像データをハイライト表示する（図３参照。なお、図３において、ハイライト表示を枠表示で示している）。リモコン装置２０のカーソルキー２０ｂが操作された場合、マイコン１１は、文字情報信号と制御信号とをＯＳＤ回路１０に送出して、画像データの選択を変更して、その画像データをハイライト表示する。
画像データの編集画面がモニタ装置３０の画面に表示されているとき、リモコン装置２０のカーソルキー２０ｂと決定キー２０ｃとの操作により、選択された画像データの消去禁止の設定が選択された場合、マイコン１１は、信号処理回路８に制御信号を送出して、選択された画像データを消去禁止に設定する。また、リモコン装置２０のカーソルキー２０ｂと決定キー２０ｃとの操作により、選択された画像データの消去禁止の解除が選択された場合、マイコン１１は、信号処理回路８に制御信号を送出して、選択された画像データの消去禁止を解除する。また、リモコン装置２０のカーソルキー２０ｂと決定キー２０ｃとの操作により、選択された画像データの消去が選択された場合、マイコン１１は、信号処理回路８に制御信号を送出して、選択された画像データをフラッシュＲＯＭ９から消去する。また、リモコン装置２０のカーソルキー２０ｂと決定キー２０ｃとを操作して編集終了を選択することにより、画像データの編集を終了することができる。これにより、フラッシュＲＯＭ９に記憶されている複数の画像データを定期的に編集することができ、不必要になった画像データをフラッシュＲＯＭ９から消去して、フラッシュＲＯＭ９の空き容量を確保することができる。
また、時計回路１２から送出された日付データがメニュ画面（図示せず）でユーザが予め設定した日数、例えば、１ヶ月経過する毎に、マイコン１１は、信号処理回路８に制御信号を送出して、メニュ画面でユーザが予め設定した画像データの保存日数、例えば、３ヶ月を越えた消去禁止に設定されていない画像データをフラッシュＲＯＭ９から自動的に消去する。これにより、予め設定された日数が経過する毎に、予め設定された保存日数を越えた消去禁止に設定されていない画像データを自動的に消去して、フラッシュＲＯＭ９の空き容量を確保することができる。
また、図４の本発明の一実施例のディスク再生装置の画像データの保存動作を示すフローチャートを基に説明する。
リモコン装置の再生キーが操作されると、ステップＳ１からステップＳ２に進み、ステップＳ２で、光ディスクに記録された映像音声データが再生され、ステップＳ３に進む。
ステップＳ３で、リモコン装置の画像メモリキーが操作された否かが判断され、画像メモリキーが操作された場合、ステップＳ４に進み、画像メモリキーが操作されていない場合、ステップＳ７に進む。
ステップＳ４で、光ディスクの再生が一時停止されて、画面に表示された画像データの保存確認画面が表示され、ステップＳ５に進む。
ステップＳ５で、リモコン装置のカーソルキーと決定キーとの操作により、画面に表示された画像データの保存が確認されたか否かが判断され、画面に表示された画像データの保存が確認された場合、ステップＳ６に進み、画面に表示された画像データの保存が確認されない場合、ステップＳ７に進む。
ステップＳ６で、画面に表示された画像データに保存日が付加されてフラッシュＲＯＭに記憶され、光ディスクの再生が再開されて、ステップＳ７に進む。
ステップＳ７で、リモコン装置の停止キーが操作されたか否かが判断され、停止キーが操作された場合、ステップＳ８に進み、停止キーが操作されていない場合、ステップＳ２に戻って、ステップＳ２からのステップを繰り返す。
ステップＳ８で、光ディスクの再生が停止され、ステップＳ９に進んで処理を終了する。
また、図５の本発明の一実施例のディスク再生装置の画像データの表示動作を示すフローチャートを基に説明する。
光ディスクの再生が停止すると、ステップＳ１１からステップＳ１２に進み、ステップＳ１２で、背景画に設定されている画像データが画面に表示され、ステップＳ１３に進む。
ステップＳ１３で、リモコン装置の停止キーが操作されたか否かが判断され、停止キーが操作された場合、ステップＳ３０に進んで処理を終了し、停止キーが操作されていない場合、ステップＳ１４に進む。
ステップＳ１４で、リモコン装置の画像メモリキーが操作されたか否かが判断され、画像メモリキーが操作された場合、ステップＳ１５に進み、画像メモリキーが操作されていない場合、ステップＳ１２に戻って、ステップＳ１２からのステップを繰り返す。
ステップＳ１５で、フラッシュＲＯＭに記憶されている全画像データのサムネイルが画面に表示され、選択されたサムネイルがハイライト表示されて、ステップＳ１６に進む。
ステップＳ１６で、リモコン装置のカーソルキーが操作されたか否かが判断され、カーソルキーが操作された場合、ステップＳ１７に進み、カーソルキーが操作されていない場合、ステップＳ１８に進む。
ステップＳ１７で、サムネイルの選択が変更されて、選択されたサムネイルがハイライト表示され、ステップＳ１８に進む。
ステップＳ１８で、リモコン装置の画像メモリキーが操作されたか否かが判断され、画像メモリキーが操作された場合、ステップＳ１２に戻って、ステップＳ１２からのステップを繰り返し、画像メモリキーが操作されていない場合、ステップＳ１９に進む。
ステップＳ１９で、リモコン装置の再生キーが操作されたか否かが判断され、再生キーが操作された場合、ステップＳ２０に進み、再生キーが操作されていない場合、ステップＳ２２に進む。
ステップＳ２０で、選択されたサムネイルの画像データが全画面表示され、ステップＳ２１に進む。
ステップＳ２１で、リモコン装置の停止キーが操作されたか否かが判断され、停止キーが操作された場合、ステップＳ１５に戻って、ステップＳ１５からのステップを繰り返し、停止キーが操作されていない場合、ステップＳ２０に戻って、ステップＳ２０からのステップを繰り返す。
ステップＳ２２で、リモコン装置の決定キーが操作されたか否かが判断され、決定キーが操作された場合、ステップＳ２３に進み、決定キーが操作されていない場合、ステップＳ２６に進む。
ステップＳ２３で、選択されたサムネイルの画像データの背景画設定確認画面が表示されて、ステップＳ２４に進む。
ステップＳ２４で、リモコン装置のカーソルキーと決定キーとの操作により、選択されたサムネイルの画像データの背景画設定が確認されたか否かが判断され、選択されたサムネイルの画像データの背景画設定が確認された場合、ステップＳ２５に進み、選択されたサムネイルの画像データの背景画設定が確認されない場合、ステップＳ１５に戻って、ステップＳ１５からのステップを繰り返す。
ステップＳ２５で、選択されたサムネイルのフラッシュＲＯＭに記憶されている画像データが背景画に設定されて選択回数が更新され、ステップＳ１５に戻って、ステップＳ１５からのステップを繰り返す。
ステップＳ２６で、リモコン装置の画像クリアキーが操作されたか否かが判断され、画像クリアキーが操作された場合、ステップＳ２７に進み、画像クリアキーが操作されていない場合、ステップＳ１５に戻って、ステップＳ１５からのステップを繰り返す。
ステップＳ２７で、選択されたサムネイルの画像データの消去確認画面が表示されて、ステップＳ２８に進む。
ステップＳ２８で、リモコン装置のカーソルキーと決定キーとの操作により、選択されたサムネイルの画像データの消去が確認されたか否かが判断され、選択されたサムネイルの画像データの消去が確認された場合、ステップＳ２９に進み、選択されたサムネイルの画像データの消去が確認されない場合、ステップＳ１５に戻って、ステップＳ１５からのステップを繰り返す。
ステップＳ２９で、選択されたサムネイルの画像データがフラッシュＲＯＭから消去され、ステップＳ１５に戻って、ステップＳ１５からのステップを繰り返す。
また、図６の本発明の一実施例のディスク再生装置の画像データの編集動作を示すフローチャートを基に説明する。
予め設定された日数が経過する毎に、ステップＳ３１からステップＳ３２に進み、ステップＳ３２で、フラッシュＲＯＭに記憶されている全画像データ一覧が選択回数の少ない順、保存日の古い順に画像データ編集画面に表示され、選択された画像データがハイライト表示されて、ステップＳ３３に進む。
ステップＳ３３で、リモコン装置のカーソルキーが操作されたか否かが判断され、カーソルキーが操作された場合、ステップＳ３４に進み、カーソルキーが操作されていない場合、ステップＳ３５に進む。
ステップＳ３４で、画像データの選択が変更されて、その画像データがハイライト表示され、ステップＳ３５に進む。
ステップＳ３５で、リモコン装置のカーソルキーと決定キーとの操作により、選択された画像データの消去禁止の設定が選択されたか否かが判断され、選択された画像データの消去禁止の設定が選択された場合、ステップＳ３６に進み、選択された画像データの消去禁止の設定が選択されない場合、ステップＳ３７に進む。
ステップＳ３６で、選択された画像データが消去禁止に設定されて、ステップＳ３７に進む。
ステップＳ３７で、リモコン装置のカーソルキーと決定キーとの操作により、選択された画像データの消去禁止の解除が選択されたか否かが判断され、選択された画像データの消去禁止の解除が選択された場合、ステップＳ３８に進み、選択された画像データの消去禁止の解除が選択されない場合、ステップＳ３９に進む。
ステップＳ３８で、選択された画像データの消去禁止が解除されて、ステップＳ３９に進む。
ステップＳ３９で、リモコン装置のカーソルキーと決定キーとの操作により、選択された画像データの消去が選択されたか否かが判断され、選択された画像データの消去が選択された場合、ステップＳ４０に進み、選択された画像データの消去が選択されない場合、ステップＳ４１に進む。
ステップＳ４０で、選択された画像データがフラッシュＲＯＭから消去されて、ステップＳ４１に進む。
ステップＳ４１で、リモコン装置のカーソルキーと決定キーとの操作により画像データの編集の終了が選択されたか否かが判断され、画像データの編集の終了が選択された場合、ステップＳ４２に進んで処理を終了し、画像データの編集の終了が選択されていない場合、ステップＳ３３に戻って、ステップＳ３３からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク再生装置の構成を示すブロック図である。
【図２】本発明の一実施例のディスク再生装置のリモコン装置を示す説明図である。
【図３】本発明の一実施例のディスク再生装置の画像データの編集画面の表示例を示す図である。
【図４】本発明の一実施例のディスク再生装置の画像データの保存動作を示すフローチャートである。
【図５】本発明の一実施例のディスク再生装置の画像データの表示動作を示すフローチャートである。
【図６】本発明の一実施例のディスク再生装置の画像データの編集動作を示すフローチャートである。
【符号の説明】
【０００８】
１  ディスク再生装置
２  光ディスク
３  光ピックアップ
４  スピンドルモータ
５  スレッドモータ
６  サーボ回路
７  ＲＦ増幅回路
８  信号処理回路
９  フラッシュＲＯＭ
１０  ＯＳＤ回路
１１  マイコン
１２  時計回路
１３  リモコン受信部
２０  リモコン装置
２０ａ  メニュキー
２０ｂ  カーソルキー
２０ｃ  決定キー
２０ｄ  再生キー
２０ｅ  停止キー
２０ｆ  画像メモリキー
２０ｇ  画像クリアキー
３０  モニタ装置
３０ａ  画面
【図１】
2007157274.tif 000003
【図２】
2007157274.tif 000004
【図３】
2007157274.tif 000005
【図４】
2007157274.tif 000006
【図５】
2007157274.tif 000007
【図６】
2007157274.tif 000008